(57)【要約】【課題】施工コストなどのコストの削減を図りつつ複数の照明器具の照明灯を連動させて点灯させること。【解決手段】照明システム１００は、照明器具Ａ１０，Ｂ２０と、照明器具Ｂ２０に設けられた人感センサ２５と、電流検出回路１４と、制御ユニット２００とを備える。照明器具Ｂ２０は、人感センサ２５が人体を検出することで自己の照明灯が点灯する。電流検出回路１４は、照明器具Ｂ２０の照明灯が点灯することにより電灯線２９に流れた電流を検出する。制御ユニット２００は、電流検出回路１４から出力された電流検出信号に応じて、照明器具Ｂ２０の照明灯の点灯から所定時間経過後にスイッチ部１９をＯＮ状態にして照明器具Ａ１０の照明灯を点灯させる。【選択図】図１
2008010332.tif 000002
【特許請求の範囲】
【請求項１】
電灯設備の電灯線に接続された第１の照明器具と、
前記第１の照明器具と前記電灯設備の電灯線を介して電気的に接続されると共に、設置箇所の周囲の監視空間における事象変化を検出する事象変化検出機器を有する第２の照明器具と、
前記第２の照明器具を通って前記電灯設備の電灯線に流れた電流を検出する電流検出機器と、
前記第１の照明器具の照明灯の点灯を制御する制御ユニットとを備え、
前記第２の照明器具は、前記事象変化検出機器による事象変化の検出に応じて自己の照明灯を点灯させ、
前記制御ユニットは、前記第２の照明器具の照明灯の点灯に伴って前記電灯設備の電灯線に流れた電流の前記電流検出機器による検出に応じて、当該第２の照明器具の照明灯の点灯から所定時間経過後に前記第１の照明器具の照明灯を点灯させる
ことを特徴とする照明システム。
【請求項２】
前記所定時間は、前記制御ユニットにて変更可能に設定されており、ユーザからの操作入力によって変更されることを特徴とする請求項１記載の照明システム。
【請求項３】
前記第１の照明器具の照明灯の点灯持続時間は、前記制御ユニットにて変更可能に設定されており、ユーザからの操作入力によって変更されることを特徴とする請求項１又は２記載の照明システム。
【請求項４】
前記第１の照明器具の照明灯及び前記第２の照明器具の照明灯の少なくともいずれか一つの点灯に伴う照度を検出する照度検出機器をさらに備え、
前記照度は、制御ユニットにて変更可能に設定されており、ユーザからの操作入力によって変更されることを特徴とする請求項１〜３のいずれか１項記載の照明システム。
【請求項５】
前記事象変化検出機器は、前記監視空間における人体の有無を検出する人感センサであることを特徴とする請求項１〜４のいずれか１項記載の照明システム。
【請求項６】
電灯設備の電灯線に接続された複数の照明器具の照明灯を連動させて点灯させる照明点灯方法において、
前記電灯設備の電灯線に接続された第１の照明器具及び第２の照明器具のうち、第２の照明器具の照明灯が点灯したことによって、当該第２の照明器具を通り前記電灯設備の電灯線に流れた電流を検出する電流検出ステップと、
前記電流に応じて、前記第２の照明器具の照明灯の点灯から所定時間経過後に前記第１の照明器具の照明灯を点灯させる点灯ステップとを有する
ことを特徴とする照明点灯方法。
【請求項７】
前記電流検出ステップでは、前記第２の照明器具を通って前記電灯設備の電灯線に流れた電流を検出する電流検出機器によって、前記第２の照明器具に設けられた事象変化検出機器が設置箇所の周囲の監視空間における事象変化を検出したことで当該第２の照明器具の照明灯が点灯したことに伴って電流を検出し、
前記点灯ステップでは、前記第１の照明器具の照明灯の点灯を制御する制御ユニットによって、前記第１の照明器具の照明灯を点灯させることを特徴とする請求項６記載の照明点灯方法。
【請求項８】
前記点灯ステップにおける所定時間は、前記制御ユニットにて変更可能に設定されており、ユーザからの操作入力によって変更されることを特徴とする請求項７記載の照明点灯方法。
【請求項９】
前記点灯ステップでは、前記第１の照明器具の照明灯の点灯持続時間は、前記制御ユニットにて変更可能に設定されており、ユーザからの操作入力によって変更されることを特徴とする請求項７又は８記載の照明点灯方法。
【発明の詳細な説明】
【技術分野】
【０００１】
本発明は、複数の照明器具の照明灯を点灯させる照明システム及び照明点灯方法に関する。
【背景技術】
【０００２】
近年、複数の照明器具を備える照明システムにおいて、一つの照明器具の照明灯が点灯したときに他の照明器具の照明灯が連動して点灯するものとして、例えば特開２００４−１８５８６９号公報に開示されているものが知られている。この照明システムは、人感センサと照明灯（ランプ）とを備える照明器具に、共通の連動信号が入力されると共に、この連動信号を時分割した各分割区間を、各照明器具のアドレスに対応させる。
【０００３】
そして、各照明器具には、自己の人感センサが人を検知したときに、自己のアドレスに対応する分割区間に人検知信号を付加する検知信号出力手段が設けられると共に、連動すべきアドレスに対応する分割区間で人検知信号を検出したときに、自己のランプを点灯させる連動点灯手段が設けられる。これにより、連動信号にアドレスを示すアドレス信号を付加しなくても、ランプが点灯した照明器具に連動して他の照明器具のランプを点灯させることができる構成とされている。
【０００４】
【特許文献１】特開２００４−１８５８６９号公報
【発明の開示】
【発明が解決しようとする課題】
【０００５】
しかしながら、上述した特許文献１に開示された従来の照明システムでは、各ランプを連動させて点灯させるために、各照明器具に人感センサを設けると共に、各照明器具に電力を供給する電源線の他に連動信号を送受信する連動線を接続しなければならない。このため、照明システムを実現するための敷設工事や部品代などに掛かる費用が高額となり、施工コストなどのコストの削減が図りにくいという問題がある。
【０００６】
本発明は、このような点に鑑みてなされたもので、施工コストなどのコストの削減を図りつつ複数の照明器具の照明灯を連動させて点灯させることができる照明システム及び照明点灯方法を提供することを目的とする。
【課題を解決するための手段】
【０００７】
本発明に係る照明システムは、電灯設備の電灯線に接続された第１の照明器具と、前記第１の照明器具と前記電灯設備の電灯線を介して電気的に接続されると共に、設置箇所の周囲の監視空間における事象変化を検出する事象変化検出機器を有する第２の照明器具と、前記第２の照明器具を通って前記電灯設備の電灯線に流れた電流を検出する電流検出機器と、前記第１の照明器具の照明灯の点灯を制御する制御ユニットとを備え、前記第２の照明器具は、前記事象変化検出機器による事象変化の検出に応じて自己の照明灯を点灯させ、前記制御ユニットは、前記第２の照明器具の照明灯の点灯に伴って前記電灯設備の電灯線に流れた電流の前記電流検出機器による検出に応じて、当該第２の照明器具の照明灯の点灯から所定時間経過後に前記第１の照明器具の照明灯を点灯させることを特徴とする。
【０００８】
また、所定時間は、制御ユニットにて変更可能に設定されており、ユーザからの操作入力によって変更される構成とされていてもよい。また、第１の照明器具の照明灯の点灯持続時間は、制御ユニットにて変更可能に設定されており、ユーザからの操作入力によって変更される構成とされていてもよい。
【０００９】
さらに、第１の照明器具の照明灯及び第２の照明器具の照明灯の少なくともいずれか一つの点灯に伴う照度を検出する照度検出機器をさらに備え、照度は、制御ユニットにて変更可能に設定されており、ユーザからの操作入力によって変更される構成とされていてもよい。なお、事象変化検出機器は、監視空間における人体の有無を検出する人感センサであるとよい。
【００１０】
また、本発明に係る照明点灯方法は、電灯設備の電灯線に接続された複数の照明器具の照明灯を連動させて点灯させる照明点灯方法において、前記電灯設備の電灯線に接続された第１の照明器具及び第２の照明器具のうち、第２の照明器具の照明灯が点灯したことによって、当該第２の照明器具を通り前記電灯設備の電灯線に流れた電流を検出する電流検出ステップと、前記電流に応じて、前記第２の照明器具の照明灯の点灯から所定時間経過後に前記第１の照明器具の照明灯を点灯させる点灯ステップとを有することを特徴とする。
【００１１】
電流検出ステップでは、第２の照明器具を通って電灯設備の電灯線に流れた電流を検出する電流検出機器によって、第２の照明器具に設けられた事象変化検出機器が設置箇所の周囲の監視空間における事象変化を検出したことで当該第２の照明器具の照明灯が点灯したことに伴って電流を検出し、点灯ステップでは、第１の照明器具の照明灯の点灯を制御する制御ユニットによって、第１の照明器具の照明灯を点灯させるようにしてもよい。
【発明の効果】
【００１２】
本発明によれば、複数の照明器具の照明灯の連動点灯を実現するために掛かる施工コストなどのコストの削減を図ることが可能となる。
【発明を実施するための最良の形態】
【００１３】
以下に、添付の図面を参照して、本発明に係る照明システム及び照明点灯方法の実施の形態について説明する。
【００１４】
図１は、本発明の一実施形態に係る照明システムの基本的構成の一例を示す説明図である。図１に示すように、照明システム１００は、例えば所定の住宅敷地内（構内）に構築されるものであり、第１の照明器具である照明器具Ａ１０と、第２の照明器具である照明器具Ｂ２０と、この照明器具Ｂ２０と共に設けられた事象変化検出機器である人感センサ２５と、電流検出機器である電流検出回路１４と、照明器具Ａ１０の照明灯（ランプ）の点灯を制御する制御ユニット２００とを備えて構成されている。
【００１５】
照明器具Ａ１０は、例えば玄関スペースの室内側に設置された蛍光灯などの照明灯を備える室内照明器具であり、照明器具Ｂ２０は、例えば玄関扉の室外側に設置されたＬＥＤ（Ｌｉｇｈｔ  Ｅｍｉｔｔｉｎｇ  Ｄｉｏｄｅ）や白熱灯などの照明灯を備える屋外照明器具である。なお、照明器具Ｂ２０は、人感センサ２５からの人体検出信号に応じて、自己の照明灯を点灯させる。これら照明器具Ａ１０及び照明器具Ｂ２０は、それぞれコンセントなどの接続点１０ａ，２０ａを介してＡＣ電源１１からの電力を供給する電灯線２９に接続されている。
【００１６】
また、電灯線２９は、宅内分電盤などの接続点１１ａを介してＡＣ電源１１に接続され、制御ユニット２００は、接続点２００ａによって直接電灯線２９に接続されている。また、ＡＣ電源１１からの電力供給は、例えば手動式の電源スイッチ１２をＯＮ状態にすることによって行われる。この電源スイッチ１２は、照明システム１００全体のＯＮ／ＯＦＦスイッチである。
【００１７】
人感センサ２５は、例えば赤外線式の熱線センサや、超音波センサ、ミリ波レーダセンサなどからなり、照明器具Ｂ２０と共に設置される。この人感センサ２５は、照明器具Ｂ２０の近傍における人体検知範囲（検知エリア）内に人が存在するとき（すなわち、検知エリアの事象変化を検知したとき）、人体から発せられる熱や反射波などを感知して人体検出信号を照明器具Ｂ２０に出力する。
【００１８】
電流検出回路１４は、照明器具Ｂ２０側の電灯線２９に接続されており、ＡＣ電源１１からの電力供給に伴う電流が照明器具Ｂ２０の照明灯の点灯に伴って電灯線２９に流れると、その電流を検知して電流検出信号を制御部１５に出力する。
【００１９】
制御ユニット２００は、ＡＣ電源１１からの制御ユニット２００への入力電力から、制御ユニット２００において必要とされる出力電力を生成する電源回路１３と、上述した電流検出回路１４と、制御ユニット２００の各構成部を制御する制御部１５と、照明システム１００のユーザが操作する操作部１６とを備えている。
【００２０】
また、制御ユニット２００は、照明器具Ｂ２０と連動してその点灯状態を報知するＬＥＤ（図示せず）の点灯を制御するＬＥＤ回路１７と、照明器具Ａ１０及び照明器具Ｂ２０の照明灯のうちの少なくとも一つの照度を検出する照度検出機器である照度センサ１８と、トライアックなどからなり照明器具Ａ１０の照明灯の点灯／非点灯を切り替えるスイッチ部１９とを備えている。
【００２１】
なお、制御ユニット２００の操作部１６は、ユーザによる操作部１６への操作入力によって、照度センサ１８の感度調整を行う照度センサ調整部２１と、同じく操作入力によって設定された点灯に関する（点灯間隔時間や点灯持続時間に関する）設定条件情報に基づいて、照明器具Ａ１０及び照明器具Ｂ２０の照明灯の点灯時間の長さや各照明灯の点灯間隔時間の長さを調整する点灯間隔時間調整部２２とを備えている。なお、設定条件情報は、あらかじめ制御ユニット２００において設定されているが、ユーザの操作入力によって変更可能な情報である。
【００２２】
制御部１５は、照度センサ調整部２１から出力された照度調整信号に応じて、照明器具Ａ１０（あるいは照明器具Ｂ２０）の照明灯の照度を調整する。また、制御部１５は、点灯間隔時間調整部２２から出力された時間調整信号に応じて、後述するＲＡＭなどにあらかじめ記憶された設定条件情報を書き換えて、各照明灯の点灯時間や点灯間隔時間を調整する。
【００２３】
制御部１５は、図示は省略するが、例えばＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）とを備えている。ＣＰＵは、例えば照明器具Ａ１０の照明灯の点灯制御を行うための所定の演算処理などを実行して、制御ユニット２００の各構成部を制御すると共に、照明システム１００全体の制御を司る。
【００２４】
ＲＯＭは、制御ユニット２００のブートプログラムや照明システム１００における照明器具Ａ１０の照明灯の点灯制御をＣＰＵに実行させるための点灯制御プログラムなどの各種プログラムを記憶している。ここで、点灯制御プログラムは、本実施形態に係る照明点灯方法を実現するプログラムであり、ＣＰＵを次のように動作させる。
【００２５】
すなわち、点灯制御プログラムは、例えば人感センサ２５が人体を感知したことによって照明器具Ｂ２０の照明灯が点灯したときに、この照明器具Ｂ２０を通った電流を電流検出回路１４が検出した場合に、電流検出回路１４から出力された電流検出信号に応じて照明器具Ａ１０の照明灯を照明器具Ｂ２０の照明灯の点灯から所定時間経過後に点灯させるものである。
【００２６】
ＲＡＭは、ＣＰＵのワークエリアとして使用される他、操作部１６からの操作入力によって変更される設定条件情報などの各種情報を一時的あるいは恒久的に記憶する。操作部１６は、スライドスイッチや押しボタン式スイッチなどの操作キーを備えた操作端末やリモコンなどによって構成される。なお、照度センサ調整部２１及び点灯間隔時間調整部２２は、制御部１５と接続されていれば、操作部１６と一体的に構成されていなくてもよい。また、電源回路１３、電流検出回路１４、ＬＥＤ回路１７、照度センサ１８、及びスイッチ１９は、一般的な回路やセンサによって構成することができるため、ここでは説明を省略する。次に、このように構成された照明システム１００における照明灯の点灯動作について説明する。
【００２７】
図２及び図３は、本発明の一実施形態に係る照明システムにおける照明灯の点灯動作の概念を説明するための説明図である。また、図４は、同照明システムにおける各構成部の動作タイミングを示すタイムチャートである。さらに、図５は、同照明システムによる照明灯の点灯に関する処理を示すフローチャートである。なお、以降において、既に説明した部分と重複する箇所については同一の符号を附して説明を省略する。また、図４においては、各構成部の符号の記載は省略してある。
【００２８】
図２に示すように、照明システム１００においては、例えば照明器具Ｂ２０と共に玄関扉の室外側に設置された人感センサ２５が人体３０を感知すると、まず、照明器具Ｂ２０の照明灯が点灯する。照明器具Ｂ２０の照明灯が点灯すると、照明器具Ｂ２０を通って流れた電流が電流検出回路１４（図１参照、以下同じ）によって検出される。
【００２９】
制御ユニット２００は、この電流検出回路１４から出力された電流検出信号をトリガとして、例えばあらかじめ設定された設定条件情報に基づき照明器具Ｂ２０の照明灯が点灯してから所定の点灯間隔時間が経過した後に、図３に示すように、照明器具Ａ１０の照明灯を点灯させる。これにより、この照明システム１００を用いれば、例えば人体３０が不審者であった場合などに、あたかも室内に住人が居るように思わせることができるため、防犯などに役立てることが可能となる。
【００３０】
照明システム１００の具体的な動作は、図４に示すように、まず、人感センサ２５が、例えば玄関扉に近づいてきた人体３０を検知エリア内で感知すると人体の検出状態となり、照明器具Ｂ２０の照明灯が点灯して点灯状態となる。照明器具Ｂ２０の照明灯が点灯すると、電流検出回路１４が照明器具Ｂ２０を通って電灯線２９に流れた電流を検出し電流検出状態となると共に、電流検出信号を制御ユニット２００の制御部１５に出力する。
【００３１】
制御ユニット２００の制御部１５は、電流検出回路１４からの電流検出信号に応じて、例えばＬＥＤ回路１７を制御してＬＥＤを点灯させ照明器具Ｂ２０の照明灯の点灯状態を報知すると共に、照明器具Ｂ２０の照明灯の点灯から、あらかじめ設定された点灯間隔時間ｔ１経過後にスイッチ部１９をＯＮにしてＯＮ状態とする。スイッチ部１９がＯＮ状態となると、照明器具Ａ１０側の電灯線２９に電流が流れ、照明器具Ａ１０の照明灯が点灯して点灯状態となる。
【００３２】
制御部１５は、照明器具Ａ１０の照明灯を、例えばあらかじめ設定された点灯持続時間ｔ２だけ点灯させると、スイッチ部１９をＯＦＦにしてＯＦＦ状態とし、照明器具Ａ１０側の電灯線２９に流れる電流を遮断する。これにより、照明器具Ａ１０の照明灯が消灯して消灯状態となる。
【００３３】
なお、照明器具Ａ１０の照明灯は、例えば操作部１６の点灯操作スイッチ（図示せず）をＯＮ状態としてからＯＦＦ状態とした場合、制御部１５による制御にしたがって点灯する。すなわち、制御部１５によって点灯操作スイッチの動作に伴いスイッチ部１９のＯＮ／ＯＦＦが切り替えられることにより、スイッチ部１９がＯＮ状態からＯＦＦ状態となるまでの任意の点灯持続時間ｔ３だけ点灯する。
【００３４】
また、照明器具Ｂ２０は、例えば人感センサ２５が検出状態であるときに点灯状態となるように構成されているため、人感センサ２５の検出／非検出状態に応じて点灯持続時間ｔ４，ｔ５だけ点灯する。次に、このような照明灯の点灯動作を実現する照明システム１００での点灯動作時の制御ユニット２００における処理について説明する。
【００３５】
図５に示すように、まず、例えばユーザによって電源スイッチ１２が操作されることで、制御ユニット２００の電源回路１３を介して制御部１５にＡＣ電源１１からの電力が供給され、照明システム１００が起動してＯＮ状態となる（ステップＳ１）。次に、制御部１５は、例えば操作部１６の点灯操作スイッチへの操作入力によって、点灯操作スイッチがＯＮとなったか否かを判断する（ステップＳ２）。
【００３６】
点灯操作スイッチがＯＮとなったと判断した場合（ステップＳ２：Ｙｅｓ）は、スイッチ部１９をＯＮ状態として照明器具Ａ１０の照明灯を点灯させる（ステップＳ５）。点灯操作スイッチがＯＮとなっていないと判断した場合（ステップＳ２：Ｎｏ）は、人感センサ２５により人体が検出され照明器具Ｂ２０の照明灯が点灯したことにより電灯線２９に電流が流れたことを電流検出回路１４が検出するのを待って（ステップＳ３：Ｎｏのループ）、電流が検出された場合（ステップＳ３：Ｙｅｓ）は、設定条件情報により設定された点灯間隔時間としての所定時間が経過したか否かを判断する（ステップＳ４）。
【００３７】
制御部１５は、所定時間が経過するのを待って（ステップＳ４：Ｎｏのループ）、所定時間が経過したと判断した場合（ステップＳ４：Ｙｅｓ）は、スイッチ部１９をＯＮ状態として照明器具Ａ１０の照明灯を点灯させる（ステップＳ５）。照明器具Ａ１０の照明灯を点灯させたら、設定条件情報に基づいて設定された点灯持続時間ｔ２（図４参照）が経過したか否かを判断する（ステップＳ６）。
【００３８】
経過したと判断した場合（ステップＳ６：Ｙｅｓ）は、スイッチ部１９をＯＦＦ状態として照明器具Ａ１０の照明灯を消灯させる（ステップＳ８）。経過していないと判断した場合（ステップＳ６：Ｎｏ）は、例えば操作部１６の点灯操作スイッチへの操作入力によって、点灯操作スイッチがＯＦＦとなったか否かを判断する（ステップＳ７）。点灯操作スイッチがＯＦＦとなっていないと判断した場合（ステップＳ７：Ｎｏ）は、ステップＳ６へ移行して点灯持続時間ｔ２の経過判断を行う。
【００３９】
点灯操作スイッチがＯＦＦとなったと判断した場合（ステップＳ７：Ｙｅｓ）は、点灯持続時間ｔ２が経過したと判断した場合（ステップＳ６：Ｙｅｓ）と同様に、スイッチ部１９をＯＦＦ状態として照明器具Ａ１０の照明灯を消灯させる（ステップＳ８）。そして、例えばユーザによって電源スイッチ１２が操作されることで、制御ユニット２００の電源回路１３を介して制御部１５に供給されていたＡＣ電源１１からの電力が遮断されたときは、照明システム１００の起動が終了してＯＦＦ状態となり（ステップＳ９）、本フローチャートによる一連の処理を終了する。
【００４０】
以上述べたように、本実施形態によれば、制御ユニット２００の制御部１５が、人感センサ２５が人体を感知したことによる照明器具Ｂ２０の照明灯の点灯に伴い電流検出回路１４から出力された電流検出信号に応じて、照明器具Ｂ２０の照明灯の点灯から点灯間隔時間ｔ１経過後に照明器具Ａ１０の照明灯を自動的に点灯させることができる。このため、従来の照明システムと比べて、照明器具Ａ１０の照明灯と照明器具Ｂ２０の照明灯とを連動して点灯させるための複数の人感センサや連動線が不要となる。また、既存の電灯設備に制御ユニット２００を設けるなどの簡単な工事を加えるだけで本実施形態の照明システム１００を実現し複数の照明灯を連動させて点灯させることができる。これにより、複数の照明器具Ａ１０，Ｂ２０の照明灯の連動点灯を実現させるために掛かる施工コストなどのコストの削減を図ることができる。
【００４１】
なお、上述した照明システム１００では、照明器具Ａ１０，Ｂ２０の照明灯の連動した点灯動作を例に挙げて説明したが、制御ユニット２００によって制御可能な照明器具を増設することにより、さらに多くの照明器具を連動させて点灯させることも可能である。
【図面の簡単な説明】
【００４２】
【図１】本発明の一実施形態に係る照明システムの基本的構成の一例を示す説明図である。
【図２】同照明システムにおける照明灯の点灯動作の概念を説明するための説明図である。
【図３】同照明システムにおける照明灯の点灯動作の概念を説明するための説明図である。
【図４】同照明システムにおける各構成部の動作タイミングを示すタイムチャートである。
【図５】同照明システムによる照明灯の点灯に関する処理を示すフローチャートである。
【符号の説明】
【００４３】
１０…照明器具Ａ、１１…ＡＣ電源、１２…電源スイッチ、１３…電源回路、１４…電流検出回路、１５…制御部、１６…操作部、１７…ＬＥＤ回路、１８…照度センサ、１９…スイッチ部、２０…照明器具Ｂ、２１…照度センサ調整部、２２…点灯間隔時間調整部、２５…人感センサ、２９…電灯線、１００…照明システム、２００…制御ユニット。
【図１】
2008010332.tif 000003
【図２】
2008010332.tif 000004
【図３】
2008010332.tif 000005
【図４】
2008010332.tif 000006
【図５】
2008010332.tif 000007